(57)【特許請求の範囲】
【請求項１】
複数の時系列データを入力してそれぞれの特徴部分を時間間隔情報に基づく特徴抽出アルゴリズムを用いて抽出し、抽出された特徴情報それぞれの、通信回線上の情報提供サイトの参照アドレスを含む関連情報を取り込んで、一致率を設定して前記特徴情報と前記関連情報とを互いに連携させて前記時間間隔情報を紐付けて蓄積しておき、前記通信回線を通じて関連情報の配信要求と共に提示される時系列データから前記特徴抽出アルゴリズムを用いて特徴部分を抽出して得られる特徴情報、または直接提示される時系列データの特徴情報を前記蓄積された連携情報それぞれの特徴情報と照合し、前記一致率に基づいて前記特徴情報に連携されている関連情報を取り出して、前記通信回線を通じて問い合わせ元に配信する情報配信装置と、
任意の時系列データを入力して特徴部分を前記情報配信装置側の特徴抽出アルゴリズムと同一のアルゴリズムを用いて抽出して得られる特徴情報、または入力される時系列データの一部あるいは全部を前記通信回線を通じて前記情報配信装置に送信して前記時系列データの関連情報の配信を要求し、当該情報配信装置から前記要求に対応する関連情報の配信を受け、配信された関連情報を提示すると共に前記参照アドレスに基づいて前記通信回線上の情報提供サイトへのアクセスを案内する情報通信端末と
を具備することを特徴とする情報配信システム。
【請求項２】
前記情報通信端末は、前記情報配信装置から前記要求に対応する関連情報の配信を受けると、前記配信された関連情報を提示すると共に前記参照アドレスに基づいて前記通信回線上の情報提供サイトへアクセスし、当該サイトから関連情報を取得し提示することを特徴とする請求項１記載の情報配信システム。
【請求項３】
前記情報通信端末は、前記特徴抽出アルゴリズムを前記情報配信装置からダウンロードすることを特徴とする請求項１記載の情報配信システム。
【請求項４】
通信回線を通じて情報通信端末からアクセスされる情報配信システムの情報配信装置であって、
複数の時系列データを入力してそれぞれの特徴部分を時間間隔情報に基づく特徴抽出アルゴリズムを用いて抽出して特徴情報を得る特徴抽出手段と、
前記抽出された特徴情報それぞれの、通信回線上の情報提供サイトの参照アドレスを含む関連情報を取り込んで、一致率を設定して前記特徴情報と前記関連情報とを互いに連携させて連携情報を生成する連携手段と、
前記特徴情報及び関連情報の連携情報を、前記時間間隔情報を紐付けて蓄積する蓄積手段と、
前記通信回線を通じて、時系列データまたは時系列データの特徴情報の関連情報の配信要求を受け付ける要求受付手段と、
前記要求受付手段で受け付けた時系列データから特徴部分を抽出して得られる特徴情報、または直接受け付けた時系列データの特徴情報を前記蓄積手段で蓄積された連携情報それぞれの特徴と情報と照合し、前記一致率に基づいて前記特徴情報に連携されている関連情報を取り出す解析手段と、
前記解析手段で取り出された関連情報を前記通信回線を通じて前記配信要求元に配信する配信手段と
を具備することを特徴とする情報配信システムの情報配信装置。
【請求項５】
前記情報通信端末からのダウンロード要求に応じて前記特徴抽出アルゴリズムを前記情報通信端末に提供することを特徴とする請求項４記載の情報配信装置。
【請求項６】
複数の時系列データを入力してそれぞれの特徴部分を時間間隔情報に基づく特徴抽出アルゴリズムを用いて抽出し、抽出された特徴情報それぞれの、通信回線上の情報提供サイトのアドレスを含む関連情報を取り込んで、一致率を設定して前記特徴情報と前記関連情報とを互いに連携させて、前記時間間隔情報を紐付けて蓄積しておき、前記通信回線を通じて関連情報の配信要求と共に提示される時系列データから前記特徴抽出アルゴリズムを用いて特徴部分を抽出して得られる特徴情報、または直接提示される時系列データの特徴情報を前記蓄積された連携情報それぞれの特徴情報と照合し、前記一致率に基づいて特徴情報に連携されている関連情報を取り出して、前記通信回線を通じて問い合わせ元に配信する情報配信装置を備える情報配信システムに用いられる情報通信端末であって、
任意の時系列データを入力して特徴部分を抽出して得られる特徴情報、または入力される時系列データの一部あるいは全部を前記通信回線を通じて前記情報配信装置に送信して前記時系列データの関連情報の配信を要求する要求手段と、
前記情報配信装置から前記要求に対応して配信される関連情報を受け取る取得手段と、
前記取得手段で取得された関連情報を提示すると共に、前記関連情報に含まれる参照アドレスに基づいて前記通信回線上の情報提供サイトへのアクセス案内を提示する提示手段と
を具備することを特徴とする情報配信システムの情報通信端末。
【請求項７】
前記要求手段は、前記時系列データを連続的に取り込んで前記情報配信装置に順次関連情報を要求する連続要求モードを備えることを特徴とする請求項６記載の情報配信システムの情報通信端末。
【請求項８】
さらに、前記参照アドレスに基づいて前記通信回線上の情報提供サイトへアクセスし、当該サイトから関連情報を取得するサイト情報取得手段を備え、
前記提示手段は、前記配信された関連情報と共に前記サイトからの関連情報を合わせて提示することを特徴とする請求項６記載の情報配信システムの情報通信端末。
【請求項９】
前記特徴抽出アルゴリズムは、前記情報配信装置からダウンロードすることを特徴とする請求項６記載の情報通信端末。
【請求項１０】
複数の時系列データを入力してそれぞれの特徴部分を時間間隔情報に基づく特徴抽出アルゴリズムを用いて抽出し、
抽出された特徴情報それぞれの、通信回線上の情報提供サイトの参照アドレスを含む関連情報を取り込んで、一致率を設定して前記特徴情報と前記関連情報とを互いに連携させて前記時間間隔情報を紐付けて蓄積しておき、
前記通信回線を通じて関連情報の配信要求と共に提示される時系列データから前記特徴抽出アルゴリズムを用いて特徴部分を抽出して得られる特徴情報、または直接提示される時系列データの特徴情報を前記蓄積された連携情報それぞれの特徴情報と照合し、前記一致率に基づいて前記特徴情報に連携されている関連情報を取り出し、
前記関連情報を前記通信回線を通じて問い合わせ元に配信することを特徴とする情報配信方法。
【請求項１１】
前記特徴抽出アルゴリズムをダウンロード要求に応じて提供することを特徴とする請求項１０記載の情報配信方法。
【発明の詳細な説明】
【技術分野】
【０００１】
本実施形態は、例えば音楽や映像の時系列データの特徴部分の提示を受けてその時系列データに関連する情報を提供する情報配信システム、情報配信装置、情報通信端末及び情報配信方法に関する。
【背景技術】
【０００２】
昨今、コマーシャル等で流れる音楽の特徴部分を提示することで、その音楽のタイトル、アーチスト、アルバム等の関連情報を提供する情報配信サービスが行われている。また、関連情報の提供と共にそのアーチストの他のアルバム、同一ジャンルでのヒットチャート等、特定の関連情報の検索サービスも提供されている。このようなコンテンツの関連情報の検索サービスは、興味のあるコンテンツに関する情報を簡単に入手することができるため、利用者が急増している状況にある。
【０００３】
しかしながら、上記のような従来の関連情報配信サービスでは、ユーザがより詳細なあるいはそれに関連した情報の入手を所望しない限り、初期提供以後の情報提供は行われず、サービス提供者側にとって十分な有効活用が図れていない。また、ユーザが予めサービス提供サイトで用意している選択項目以外の関連情報を求める場合、別途、検索サイトにアクセスしてキーワード検索する、提供関連情報に含まれるＵＲＬを覚えてブラウザに直接入力する、提供映像に示されるＱＲコードを撮影してアクセス先を読み取り登録するなどの操作が必要であり、一般ユーザには取扱いが面倒であった。
【先行技術文献】
【特許文献】
【０００４】
【特許文献１】特開２００２−０４１５６９号公報
【特許文献２】特開２００２−１７５３１１号公報
【発明の概要】
【発明が解決しようとする課題】
【０００５】
以上のように、従来の時系列データの特徴部分の関連情報の配信サービスでは、ユーザの情報取得意欲に委ねているため、情報提供者側にとって十分な有効活用が図れず、また、ユーザがより詳細な情報あるいはそれに関連する情報を得るためにはユーザ自身が情報提供先を検索しアクセスする行為が必要であり、一般ユーザには取扱いが面倒であった。
【０００６】
本実施形態は上記の課題に鑑みてなされたもので、時系列データの特徴部分に関連する情報を提供する際に、ユーザの情報取得意欲を促し、情報検索を支援することのできる情報配信システム、情報配信装置、情報通信端末及び情報配信方法を提供することを目的とする。
【課題を解決するための手段】
【０００７】
上記問題を解決するために、本実施形態に係る情報配信システムは、複数の時系列データを入力してそれぞれの特徴部分を抽出し、抽出された特徴情報それぞれの、通信回線上の情報提供サイトの参照アドレスを含む関連情報を取り込んで前記特徴情報と前記関連情報とを互いに連携させて蓄積しておき、前記通信回線を通じて関連情報の配信要求と共に提示される時系列データから特徴部分を抽出して得られる特徴情報、または直接提示される時系列データの特徴情報を前記蓄積された連携情報それぞれの特徴情報と照合し、特徴情報に連携されている関連情報を取り出して、前記通信回線を通じて問い合わせ元に配信する情報配信装置と、任意の時系列データを入力して特徴部分を抽出して得られる特徴情報、または入力される時系列データの一部あるいは全部を前記通信回線を通じて前記情報配信装置に送信して前記時系列データの関連情報の配信を要求し、当該情報配信装置から前記要求に対応する関連情報の配信を受け、配信された関連情報を提示すると共に前記参照アドレスに基づいて前記通信回線上の情報提供サイトへのアクセスを案内する情報通信端末とを具備する態様とする。
【０００８】
また、本実施形態に係る情報配信装置は、通信回線を通じて情報通信端末からアクセスされる情報配信システムの情報配信装置であって、複数の時系列データを入力してそれぞれの特徴部分を抽出して特徴情報を得る特徴抽出手段と、前記抽出された特徴情報それぞれの、通信回線上の情報提供サイトの参照アドレスを含む関連情報を取り込んで前記特徴情報と前記関連情報とを互いに連携させて連携情報を生成する連携手段と、前記特徴情報及び関連情報の連携情報を蓄積する蓄積手段と、前記通信回線を通じて、時系列データまたは時系列データの特徴情報の関連情報の配信要求を受け付ける要求受付手段と、前記要求受付手段で受け付けた時系列データから特徴部分を抽出して得られる特徴情報、または直接受け付けた時系列データの特徴情報を前記蓄積手段で蓄積された連携情報それぞれの特徴と情報と照合し、特徴情報に連携されている関連情報を取り出す解析手段と、前記解析手段で取り出された関連情報を前記通信回線を通じて前記配信要求元に配信する配信手段とを具備する態様とする。
【０００９】
また、本実施形態に係る情報通信端末は、複数の時系列データを入力してそれぞれの特徴部分を抽出し、抽出された特徴情報それぞれの、通信回線上の情報提供サイトのアドレスを含む関連情報を取り込んで前記特徴情報と前記関連情報とを互いに連携させて蓄積しておき、前記通信回線を通じて関連情報の配信要求と共に提示される時系列データから特徴部分を抽出して得られる特徴情報、または直接提示される時系列データの特徴情報を前記蓄積された連携情報それぞれの特徴情報と照合し、特徴情報に連携されている関連情報を取り出して、前記通信回線を通じて問い合わせ元に配信する情報配信装置を備える情報配信システムに用いられる情報通信端末であって、任意の時系列データを入力して特徴部分を抽出して得られる特徴情報、または入力される時系列データの一部あるいは全部を前記通信回線を通じて前記情報配信装置に送信して前記時系列データの関連情報の配信を要求する要求手段と、前記情報配信装置から前記要求に対応して配信される関連情報を受け取る取得手段と、前記取得手段で取得された関連情報を提示すると共に、前記関連情報に含まれる参照アドレスに基づいて前記通信回線上の情報提供サイトへのアクセス案内を提示する提示手段とを具備する態様とする。
【００１０】
また、本実施形態に係る情報配信方法は、複数の時系列データを入力してそれぞれの特徴部分を抽出し、抽出された特徴情報それぞれの、通信回線上の情報提供サイトの参照アドレスを含む関連情報を取り込んで前記特徴情報と前記関連情報とを互いに連携させて蓄積しておき、前記通信回線を通じて関連情報の配信要求と共に提示される時系列データから特徴部分を抽出して得られる特徴情報、または直接提示される時系列データの特徴情報を前記蓄積された連携情報それぞれの特徴情報と照合し、特徴情報に連携されている関連情報を取り出し、前記関連情報を前記通信回線を通じて問い合わせ元に配信する態様とする。
【図面の簡単な説明】
【００１１】
【図１】本実施形態に係る情報配信装置及び情報通信端末を備える情報配信システムの構成を示すブロック図。
【図２】図１に示す実施形態の特徴情報蓄積部に蓄積される管理データ例を示す図。
【図３】図１に示す実施形態の特徴／関連情報蓄積部に蓄積される管理データ例を示す図。
【図４】図２及び図３に示す管理データと時系列データの格納例を示す図。
【図５】図１に示す実施形態の特徴情報及び関連情報の紐付・格納に関する処理の流れを示すフローチャート。
【図６】図１に示す実施形態の関連情報要求から関連情報配信までの処理の流れを示すフローチャート。
【図７】図１に示す実施形態の情報通信端末側の時系列データ入力から関連情報取得提示までの処理の流れを示すフローチャート。
【発明を実施するための形態】
【００１２】
以下、図面を参照して本実施形態について説明する。
【００１３】
図１は本実施形態に係る情報配信装置及び情報通信端末を備える情報配信システムの構成を示すブロック図である。図１において、通信回線１１には情報配信装置１２及び情報通信端末１３の他、各種情報提供サイトが接続されている。
【００１４】
上記情報配信装置１２は、特徴情報抽出処理部１２１、特徴情報蓄積部１２２、関連情報連携処理部１２３、特徴／関連情報蓄積部１２４、特徴情報解析処理部１２５、及び、関連情報配信部１２６を備える。
【００１５】
上記特徴情報抽出処理部１２１は、例えばテレビ、ラジオで放送される楽曲の映像データ、音声データあるいは、映像・音声の複合データを取得し、映像・音声の複合データの場合は映像データと音声データに分離して、それぞれの特徴情報を抽出する。あるいは、気温(温度)、湿度、体温、脈拍、歩数、慣性、ＧＰＳ（位置情報）、気体／液体／固体成分情報、等の各種センサを接続することでセンサ検出データを取り込み、それぞれの特徴情報を抽出する。以下、特徴情報抽出対象を時系列データと称する。ここで抽出された特徴情報は特徴情報蓄積部１２２に蓄積される。
【００１６】
上記映像の抽出にあたっては、再生時間とのマッチングをとりつつ、非圧縮状態の映像データを輝度、色差の少なくとも一つを検出し、時間情報と共に特徴情報抽出サンプリングを行う。映像データが圧縮されている場合には、非圧縮状態に変換して行う。
【００１７】
上記映像の特徴情報抽出サンプリングの方法として、ポイント特定によって映像中の一部を抽出し、時間間隔情報と紐付けて特徴情報蓄積部１２２に蓄積する。また、サンプリング密度は（１）密度：高の場合、データ量：大、（２）密度：低の場合、データ量：小、で段階的な選択を可能とする。
【００１８】
音声の抽出にあたっては、再生時間とのマッチングをとりつつ非圧縮状態の音声データを特定周波数毎に分類し、時間情報と共に特徴情報抽出サンプリングを行う。音声データが圧縮されている場合には、非圧縮状態に変換して行う。
【００１９】
上記音声の特徴情報抽出サンプリングの方法として、特定周波数の一部を抽出し、時間間隔情報と紐付けて特徴情報蓄積部１２２に蓄積される。また、サンプリング密度は選択可能とし、密度：高の場合、データ量：大、密度：低の場合、データ量：小で段階的な選択を可能する。
【００２０】
また、上記関連情報連携処理部１２３は、特徴情報蓄積部１２２に保存された映像特徴情報、音声特徴情報、あるいは、映像の特徴情報と音声の特徴情報が１つの時間間隔情報により複合された映像・音声特徴情報それぞれについて、時間区切りによる一部あるいは、全部の特徴情報に関連する情報、例えば参照ＵＲＬ等を取得して紐付けを行う。ここで取得された特徴／関連情報は特徴／関連情報蓄積部１２４に蓄積される。この際、抽出されたデータ間の時間間隔情報の割合（％）による±閾値設定を可能にするとよい。
【００２１】
関連情報として、関連情報提供サイトの参照ＵＲＬの他、気温(温度)、湿度、体温、脈拍、歩数、慣性、ＧＰＳ（位置情報）、気体／液体／固体成分情報、等の付随情報を関連情報提供サイトの特性に合わせて付加するとよい。
【００２２】
上記特徴情報解析処理部１２５は、情報通信端末１３から送られてくる特徴情報の問い合わせ要求を受け付け、その特徴情報問い合わせが、すでに特徴情報が抽出されているデータか、抽出されていない映像・音声データ全てかの判定を行う。特徴情報が抽出されているデータ場合、その特徴情報について特徴/関連情報蓄積部１２４に保存されたデータのうちから検索する。特徴情報が抽出されていないデータの場合は、特徴情報抽出処理部１２１と同一アルゴリズムを用いて特徴情報を抽出しつつ特徴/関連情報蓄積部１２４に保存されたデータを検索する。検索は部分一致により一致率の高い順に単一あるいは複数候補の絞り込みを行う。一致率（％等）は候補毎に保持される。
【００２３】
上記関連情報配信部１２６は、特徴情報解析処理部１２５にて選出された単一あるいは、複数の候補情報及び、候補毎の一致率を取得し、特徴/関連情報蓄積部１２４から対応する関連情報を取得し、要求元の情報通信端末１３に配信する。尚、関連情報は特徴情報解析処理部１２５から取得するようにしてもよい。
【００２４】
上記情報配信装置１２の情報格納例を図２乃至図４に示す。図２は特徴情報蓄積部１２２に蓄積される管理データ例を示している。この例では、シーケンス番号（Seq No.）、分類、時系列データ格納場所を管理項目として備えている。図３は特徴／関連情報蓄積部１２４に蓄積される管理データ例を示している。この例では、図２で示した各項目シーケンス番号（Seq No.）、分類、時系列データ格納場所に、関連情報１〜ＸＸの項目を付加したものとなっている。
【００２５】
上記管理データに対する時系列データは、図４に示すように、rootディリクトリの下に階層１として分類ディリクトリを作成し、その各分離ディレクトリの下に階層２として日付ディレクトリを作成し、この日付ディレクトリに時系列データを格納する階層構造にする。この構造によれば、最初に分類の検索を行い、日付の新しいディレクトリから順に関連情報の検索を行うため、比較的効率よく検索することができる。
【００２６】
一方、上記情報通信端末１３は、映像・音声データの他、各種センサ検出データによる時系列データ取得部１３１、特徴情報抽出処理部１３２、要求処理部１３３、関連情報取得部１３４、関連情報アクセス部１３５、関連情報提示部１３６を備える。
【００２７】
上記時系列データ取得部１３１は、通信回線１１を経由して、あるいはカメラ、マイク等の端末外部機器から映像データ、音声データあるいは映像・音声の複合データ、あるいはセンサ等により気温（温度）、湿度、体温、脈拍、歩数、慣性、ＧＰＳ（位置情報）、気体／液体／固体成分情報等の時系列データを取得する。映像・音声の複合データの場合には、映像データ、音声データに時間間隔情報と紐付けた形態で分離する。時系列データの入力は、単位時間で入力する時間入力モード、コンテンツ単位で入力するコンテンツ入力モード、停止が指示されるまで入力する連続入力モードを選択的に切り替えられるようにしておくとよい。
【００２８】
映像であればノイズ除去及び適正化を行い、音声データであれば雑音除去を行う。また、センサ等からの気温（温度）、湿度、体温、脈拍、歩数、慣性、ＧＰＳ（位置情報）、気体／液体／固体成分情報等は映像・音声の付随情報として取得するようにしてもよい。
【００２９】
情報通信端末１３での特徴情報抽出は、端末の処理機能、リソース等により端末側で実施か否か選択できるようにしておくとよい。
【００３０】
上記特徴情報抽出処理部１３２は、時系列データ取得部１３１から映像データ、音声データ、センサ検出データを取得し、映像と音声、あるいはセンサ検出結果の時系列データそれぞれに対し、情報配信装置１２内の特徴情報抽出処理部１２１と同一アルゴリズムで特徴情報を抽出する。アルゴリズムは、情報配信装置１２からダウンロードすることで、同一性を保つことができる。
【００３１】
尚、この特徴情報抽出処理部１３２で行われる特徴抽出処理は比較的負荷がかかるため、端末側に設けず、情報配信装置１２の特徴情報解析処理部１２５に特徴抽出を委ねるようにしてもよい。
【００３２】
映像の抽出にあたっては、再生時間とのマッチングをとりつつ非圧縮状態の映像データを輝度、色差の少なくとも一つを検出し、時間情報と共に特徴情報抽出サンプリングを行う。映像データが圧縮されている場合、非圧縮状態に変換して行う。上記映像の特徴情報抽出サンプリングの方法として、ポイント特定によって映像中の一部を抽出し、時間間隔情報と紐付けて要求処理部１３３に発行する。サンプリング密度は、密度：高の場合にはデータ量：大とし、密度：低の場合にはデータ量：小として段階的な選択を可能とする。
【００３３】
音声の抽出にあたっては、再生時間とのマッチングをとりつつ非圧縮状態の音声データを特定周波数毎に分類し、時間情報と共に特徴情報抽出サンプリングを行う。音声データが圧縮されている場合、非圧縮状態に変換して行う。上記音声の特徴情報抽出サンプリングの方法として、特定周波数の一部を抽出し、時間間隔情報と紐付けて要求処理部１３３に発行する。サンプリング密度は選択可能とし、密度：高の場合にはデータ量：大とし、密度：低の場合にはデータ量：小として段階的な選択を可能する。
【００３４】
上記要求処理部１３３は、通信回線１１を介して情報配信装置１２にアクセスし、時系列データ取得部１３１から取得した映像データ、音声データあるいは、映像・音声の複合データ、センサ検出データ及び、必要に応じて付随情報を発行し、または、特徴情報抽出処理部１３２から取得した映像特徴情報データ、音声特徴情報データ、あるいは、映像の特徴情報と音声の特徴情報が１つの時間間隔情報により複合された映像・音声特徴情報データ、あるいはセンサ検出データを取得し、必要に応じて付随情報を発行し、関連情報の問い合わせ要求を行う。
【００３５】
上記関連情報取得部１３４は、情報配信装置１２から単一あるいは、複数の関連情報及び、関連情報毎の一致率を取得し、関連情報提示部１３５に発行する。この際、付随情報関連の適合情報も取得したい場合には、併せて関連情報提示部１３５に発行する。
【００３６】
上記関連情報提示部１３５はディスプレイ、スピーカ等の提示装置（図示せず）を備え、適宜入力情報の提示を行うもので、関連情報取得部１３４から単一あるいは、複数の関連情報及び、関連情報毎の一致率を取得し、関連情報アクセス部１３６を通じて、関連情報をキーに一致率が最高位の情報提供サイトにアクセスして、そのサイトで提供される関連情報を取得する。ここで、一致率が最高位でない場合でも、選択あるいは設定により該当する関連情報提供サイトにアクセスし、情報を取得できるようにすれば、ユーザの選択肢が広がり、所望する情報が得やすくなる。
【００３７】
また、付随情報関連の適合情報も取得した場合、自端末内の時系列データ取得部１３１で取得した時系列データ（映像データ・音声データ・センサ検出データ）と適合情報が合致した情報があれば、関連情報提供サイトにアクセスした際、適正なタイミングで該当情報を発行する。
【００３８】
上記構成による情報配信システムにおいて、図５乃至図７を参照して、情報配信装置１２及び情報通信端末１３における処理の流れについて説明する。
【００３９】
図５は上記情報配信装置１２における特徴情報及び関連情報の紐付・格納に関する処理の流れを示すフローチャートである。図５において、時系列データの入力があると（ステップＳ１１）、その入力データから所定のアルゴリズムで特徴情報を抽出し、特徴情報蓄積部１２２に蓄積し（ステップＳ１２）、関連情報の入力があると（ステップＳ１３）、すでに蓄積されている特徴情報に入力された関連情報を紐付けて、特徴／関連情報蓄積部１２４に蓄積する（ステップＳ１４）。
【００４０】
図６は上記情報配信装置１２における関連情報の要求から配信までの処理の流れを示すフローチャートである。図６において、まず関連情報要求の受付を行い（ステップＳ２１）、続いて入力データが特徴情報を抽出したデータであるか否かを判断し（ステップＳ２２）、入力データが時系列データで特徴情報の抽出が必要な場合には、特徴情報解析処理部１２５で特徴抽出処理を行う（ステップＳ２３）。
【００４１】
ステップＳ２２，Ｓ２３を経て特徴情報を取得すると、関連情報検索処理に移行し、入力された特徴情報について蓄積された特徴／関連情報のうちから該当する関連情報を検索する（ステップＳ２４）。このようにして関連情報が検索されると、その検索された関連情報を要求元に配信する（ステップＳ２５）。続いて、検索された関連情報の中で配信されていない残りの情報があるか判断し（ステップＳ２６）、その残りの情報を順次配信し（ステップＳ２７）、全て配信した時点で一連の処理を終了する。
【００４２】
図７は、上記処理を実行する情報配信装置１２に対し、情報通信端末１３が行う処理の流れを示すフローチャートである。情報通信端末１３では以下の処理を実行する。
【００４３】
まず、時系列データが入力されると（ステップＳ３１）、特徴情報を抽出するか否かを問い合わせ（ステップＳ３２）、特徴情報の抽出が必要な場合には、その特徴情報を抽出する（ステップＳ３３）。その判断は、例えば通信環境を考慮するとよい。すなわち、伝送容量が低い場合には特徴情報を抽出してデータ量を少なくし、伝送容量が高い場合には時系列データをそのまま送信して、情報配信装置１２側に特徴情報の抽出を委ねることが考えられる。
【００４４】
上記のように抽出された特徴情報または時系列データについて関連情報の要求があった場合（ステップＳ３４）、情報配信装置１２に関連情報を要求し（ステップＳ３５）、情報配信装置１２からの関連情報配信を待機する（ステップＳ３６）。関連情報の配信があると、その関連情報を提示し（ステップＳ３７）、続いて全ての関連情報を提示したか判断する（ステップＳ３８）。ここで、関連情報の連続取得を考慮し、連続モードがセットされているか否かを判断し、セットされている場合には、ステップＳ３１に戻って一連の処理を実行し、連続モードにセットされていない場合には、そのまま処理を終了する。
【００４５】
以上のように、本実施形態によると、情報配信装置１２側で、映像・音声・センサ検出結果の時系列データの特徴情報を抽出し、関連情報提供サイトと紐づくＵＲＬなどの関連情報を蓄積しておき、情報通信端末１３において、映像・音声データの一部あるいは、全部あるいはセンサ検出データを取得し、取得したデータあるいは、端末側で特徴情報を抽出したデータの少なくとも一部を通信回線経由で情報配信装置１２に問い合わせることで、情報配信装置１２側で紐付けられた関連情報の配信を受け、これにより関連情報提供サイトにアクセスし、意図する関連情報を得ることを可能とする。このように、簡易に映像・音声と紐づく関連情報が得られ、課題である一歩踏み込んだ情報提供が可能となる。
【００４６】
例えば、情報通信端末１３において、ＧＰＳ情報を入力し、特徴情報として現在位置情報を抽出し、この現在位置情報を情報配信装置１２に送信して関連情報を要求すると、情報配信装置１２は送られてきた位置情報に近い店舗、催し物等の周辺案内情報を配信するだけでなく、各案内情報の詳細が紹介されているＵＲＬ情報を付加して順次配信する。端末１３側は、配信される周辺案内情報を提示すると共に、その提示情報に関連する情報提供サイトのＵＲＬ情報にアクセスして自動的に関連情報を提示する。ユーザは関連情報に興味を持った場合、そのサイトに入って必要な情報を入手することができる。
【００４７】
また、医療機関において、病気の種別に応じた体温、脈拍等のセンサ情報の特徴情報を類別して上記情報配信装置１２に登録しておき、端末１３にて患者に取り付けた体温、脈拍等のセンサ情報を取得して情報配信装置１２に関連情報を問い合わせると、その特徴に合致する病名とその詳細が紹介される関連情報サイトのＵＲＬ情報が配信され、病名判断に役立つといったアプリケーションも考えられる。
【００４８】
したがって、コンテンツ特徴部分に関連する登録情報を提供する際に、より詳細な情報や関連情報のアクセス先が提供されるため、ユーザの情報取得意欲を促し、情報検索を支援することのできる情報配信システム、情報配信装置、情報配信方法及び情報通信端末を提供することができる。
【００４９】
尚、上記実施形態では、映像データ、音声データ、センサ検出データを関連情報検索対象としたが、時系列データであればどのような情報でも対応可能である。
【００５０】
その他、上記実施形態はそのままに限定されるものではなく、実施段階ではその要旨を逸脱しない範囲で構成要素を変形して具体化できる。また、上記実施形態に開示されている複数の構成要素の適宜な組み合わせでもよい。例えば、実施形態に示される全構成要素から幾つかの構成要素を削除してもよい。さらに、異なる実施形態にわたる構成要素を適宜組み合わせてもよい。
【符号の説明】
【００５１】
１１…通信回線、１２…情報配信装置、１２１…特徴情報抽出処理部、１２２…特徴情報蓄積部、１２３…関連情報連携処理部、１２４…特徴／関連情報蓄積部、１２５…特徴情報解析処理部、１２６…関連情報配信部、１３…情報通信端末、１３１…時系列データ取得部、１３２…特徴情報抽出処理部、１３３…要求処理部、１３４…関連情報取得部、１３５…関連情報提示部、１３６…関連情報アクセス部。
【図１】
0005417365.tif 000002
【図２】
0005417365.tif 000003
【図３】
0005417365.tif 000004
【図４】
0005417365.tif 000005
【図５】
0005417365.tif 000006
【図６】
0005417365.tif 000007
【図７】
0005417365.tif 000008